【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
画像を復号すると共に、前記画像を分割した量子化パラメータの管理単位である量子化復号ブロック単位で差分量子化パラメータが符号化されたビットストリームを復号する画像復号装置であって、
前記ビットストリームを前記量子化復号ブロック単位で復号して復号対象の量子化復号ブロックの差分量子化パラメータを抽出する復号部と、
前記復号対象の量子化復号ブロックに対して復号順で先行する２つの量子化復号ブロックの量子化パラメータを用いて予測量子化パラメータを導出する予測量子化パラメータ導出部と、
前記復号対象の量子化復号ブロックの差分量子化パラメータと前記予測量子化パラメータとの加算により前記復号対象の量子化復号ブロックの量子化パラメータを導出する量子化パラメータ導出部と
を備えることを特徴とする画像復号装置。
【請求項２】
前記予測量子化パラメータ導出部は、前記復号対象の量子化復号ブロックに対して復号順で先行する２つの量子化復号ブロックの量子化パラメータの平均値を前記予測量子化パラメータとして導出することを特徴とする請求項１に記載の画像復号装置。
【請求項３】
前記量子化復号ブロック単位は、前記画像を分割した最大復号ブロック、又は前記最大復号ブロックの中を更に１つ或は複数の量子化復号ブロックに分割したものであることを特徴とする請求項１または２に記載の画像復号装置。
【請求項４】
前記予測量子化パラメータ導出部は、前記復号対象の量子化復号ブロックに対して復号順で直前の２つの量子化復号ブロックの量子化パラメータを用いて前記予測量子化パラメータを導出することを特徴とする請求項１から３のいずれかに記載の画像復号装置。
【請求項５】
画像を復号すると共に、前記画像を分割した量子化パラメータの管理単位である量子化復号ブロック単位で差分量子化パラメータが符号化されたビットストリームを復号する画像復号方法であって、
前記ビットストリームを前記量子化復号ブロック単位で復号して復号対象の量子化復号ブロックの差分量子化パラメータを抽出する復号ステップと、
前記復号対象の量子化復号ブロックに対して復号順で先行する２つの量子化復号ブロックの量子化パラメータを用いて予測量子化パラメータを導出する予測量子化パラメータ導出ステップと、
前記復号対象の量子化復号ブロックの差分量子化パラメータと前記予測量子化パラメータとの加算により前記復号対象の量子化復号ブロックの量子化パラメータを導出する量子化パラメータ導出ステップと
を有することを特徴とする画像復号方法。
【請求項６】
画像を復号すると共に、前記画像を分割した量子化パラメータの管理単位である量子化復号ブロック単位で差分量子化パラメータが符号化されたビットストリームを復号する画像復号プログラムであって、
前記ビットストリームを前記量子化復号ブロック単位で復号して復号対象の量子化復号ブロックの差分量子化パラメータを抽出する復号ステップと、
前記復号対象の量子化復号ブロックに対して復号順で先行する２つの量子化復号ブロックの量子化パラメータを用いて予測量子化パラメータを導出する予測量子化パラメータ導出ステップと、
前記復号対象の量子化復号ブロックの差分量子化パラメータと前記予測量子化パラメータとの加算により前記復号対象の量子化復号ブロックの量子化パラメータを導出する量子化パラメータ導出ステップと
をコンピュータに実行させることを特徴とする画像復号プログラム。
【請求項７】
ビットストリームを受信して復号する受信装置であって、
画像と共に前記画像を分割した量子化パラメータの管理単位である量子化復号ブロック単位で差分量子化パラメータが符号化されたビットストリームが、パケット化された符号化ストリームを受信する受信部と、
受信された前記パケット化された符号化ストリームをパケット処理して元のビットストリームを復元する復元部と、
前記復元されたビットストリームを前記量子化復号ブロック単位で復号して復号対象の量子化復号ブロックの差分量子化パラメータを抽出する復号部と、
前記復号対象の量子化復号ブロックに対して復号順で先行する２つの量子化復号ブロックの量子化パラメータを用いて予測量子化パラメータを導出する予測量子化パラメータ導出部と、
前記復号対象の量子化復号ブロックの差分量子化パラメータと前記予測量子化パラメータとの加算により前記復号対象の量子化復号ブロックの量子化パラメータを導出する量子化パラメータ導出部と
を備えることを特徴とする受信装置。
【請求項８】
ビットストリームを受信して復号する受信方法であって、
画像と共に前記画像を分割した量子化パラメータの管理単位である量子化復号ブロック単位で差分量子化パラメータが符号化されたビットストリームが、パケット化された符号化ストリームを受信する受信ステップと、
受信された前記パケット化された符号化ストリームをパケット処理して元のビットストリームを復元する復元ステップと、
前記復元されたビットストリームを前記量子化復号ブロック単位で復号して復号対象の量子化復号ブロックの差分量子化パラメータを抽出する復号ステップと、
前記復号対象の量子化復号ブロックに対して復号順で先行する２つの量子化復号ブロックの量子化パラメータを用いて予測量子化パラメータを導出する予測量子化パラメータ導出ステップと、
前記復号対象の量子化復号ブロックの差分量子化パラメータと前記予測量子化パラメータとの加算により前記復号対象の量子化復号ブロックの量子化パラメータを導出する量子化パラメータ導出ステップと
を有することを特徴とする受信方法。
【請求項９】
ビットストリームを受信して復号する受信プログラムであって、
画像と共に前記画像を分割した量子化パラメータの管理単位である量子化復号ブロック単位で差分量子化パラメータが符号化されたビットストリームが、パケット化された符号化ストリームを受信する受信ステップと、
受信された前記パケット化された符号化ストリームをパケット処理して元のビットストリームを復元する復元ステップと、
前記復元されたビットストリームを前記量子化復号ブロック単位で復号して復号対象の量子化復号ブロックの差分量子化パラメータを抽出する復号ステップと、
前記復号対象の量子化復号ブロックに対して復号順で先行する２つの量子化復号ブロックの量子化パラメータを用いて予測量子化パラメータを導出する予測量子化パラメータ導出ステップと、
前記復号対象の量子化復号ブロックの差分量子化パラメータと前記予測量子化パラメータとの加算により前記復号対象の量子化復号ブロックの量子化パラメータを導出する量子化パラメータ導出ステップと
をコンピュータに実行させることを特徴とする受信プログラム。
【手続補正２】
【補正対象書類名】明細書
【補正対象項目名】０００８
【補正方法】変更
【補正の内容】
【０００８】
画像を復号すると共に、前記画像を分割した量子化パラメータの管理単位である量子化復号ブロック単位で差分量子化パラメータが符号化されたビットストリームを復号する画像復号装置であって、前記ビットストリームを前記量子化復号ブロック単位で復号して復号対象の量子化復号ブロックの差分量子化パラメータを抽出する復号部と、前記復号対象の量子化復号ブロックに対して復号順で先行する２つの量子化復号ブロックの量子化パラメータを用いて予測量子化パラメータを導出する予測量子化パラメータ導出部と、前記復号対象の量子化復号ブロックの差分量子化パラメータと前記予測量子化パラメータとの加算により前記復号対象の量子化復号ブロックの量子化パラメータを導出する量子化パラメータ導出部とを備えることを特徴とする画像復号装置を提供する。
画像を復号すると共に、前記画像を分割した量子化パラメータの管理単位である量子化復号ブロック単位で差分量子化パラメータが符号化されたビットストリームを復号する画像復号方法であって、前記ビットストリームを前記量子化復号ブロック単位で復号して復号対象の量子化復号ブロックの差分量子化パラメータを抽出する復号ステップと、前記復号対象の量子化復号ブロックに対して復号順で先行する２つの量子化復号ブロックの量子化パラメータを用いて予測量子化パラメータを導出する予測量子化パラメータ導出ステップと、前記復号対象の量子化復号ブロックの差分量子化パラメータと前記予測量子化パラメータとの加算により前記復号対象の量子化復号ブロックの量子化パラメータを導出する量子化パラメータ導出ステップとを有することを特徴とする画像復号方法を提供する。
画像を復号すると共に、前記画像を分割した量子化パラメータの管理単位である量子化復号ブロック単位で差分量子化パラメータが符号化されたビットストリームを復号する画像復号プログラムであって、前記ビットストリームを前記量子化復号ブロック単位で復号して復号対象の量子化復号ブロックの差分量子化パラメータを抽出する復号ステップと、前記復号対象の量子化復号ブロックに対して復号順で先行する２つの量子化復号ブロックの量子化パラメータを用いて予測量子化パラメータを導出する予測量子化パラメータ導出ステップと、前記復号対象の量子化復号ブロックの差分量子化パラメータと前記予測量子化パラメータとの加算により前記復号対象の量子化復号ブロックの量子化パラメータを導出する量子化パラメータ導出ステップとをコンピュータに実行させることを特徴とする画像復号プログラムを提供する。
ビットストリームを受信して復号する受信装置であって、画像と共に前記画像を分割した量子化パラメータの管理単位である量子化復号ブロック単位で差分量子化パラメータが符号化されたビットストリームが、パケット化された符号化ストリームを受信する受信部と、受信された前記パケット化された符号化ストリームをパケット処理して元のビットストリームを復元する復元部と、前記復元されたビットストリームを前記量子化復号ブロック単位で復号して復号対象の量子化復号ブロックの差分量子化パラメータを抽出する復号部と、前記復号対象の量子化復号ブロックに対して復号順で先行する２つの量子化復号ブロックの量子化パラメータを用いて予測量子化パラメータを導出する予測量子化パラメータ導出部と、前記復号対象の量子化復号ブロックの差分量子化パラメータと前記予測量子化パラメータとの加算により前記復号対象の量子化復号ブロックの量子化パラメータを導出する量子化パラメータ導出部とを備えることを特徴とする受信装置を提供する。
ビットストリームを受信して復号する受信方法であって、画像と共に前記画像を分割した量子化パラメータの管理単位である量子化復号ブロック単位で差分量子化パラメータが符号化されたビットストリームが、パケット化された符号化ストリームを受信する受信ステップと、受信された前記パケット化された符号化ストリームをパケット処理して元のビットストリームを復元する復元ステップと、前記復元されたビットストリームを前記量子化復号ブロック単位で復号して復号対象の量子化復号ブロックの差分量子化パラメータを抽出する復号ステップと、前記復号対象の量子化復号ブロックに対して復号順で先行する２つの量子化復号ブロックの量子化パラメータを用いて予測量子化パラメータを導出する予測量子化パラメータ導出ステップと、前記復号対象の量子化復号ブロックの差分量子化パラメータと前記予測量子化パラメータとの加算により前記復号対象の量子化復号ブロックの量子化パラメータを導出する量子化パラメータ導出ステップとを有することを特徴とする受信方法を提供する。
ビットストリームを受信して復号する受信プログラムであって、画像と共に前記画像を分割した量子化パラメータの管理単位である量子化復号ブロック単位で差分量子化パラメータが符号化されたビットストリームが、パケット化された符号化ストリームを受信する受信ステップと、受信された前記パケット化された符号化ストリームをパケット処理して元のビットストリームを復元する復元ステップと、前記復元されたビットストリームを前記量子化復号ブロック単位で復号して復号対象の量子化復号ブロックの差分量子化パラメータを抽出する復号ステップと、前記復号対象の量子化復号ブロックに対して復号順で先行する２つの量子化復号ブロックの量子化パラメータを用いて予測量子化パラメータを導出する予測量子化パラメータ導出ステップと、前記復号対象の量子化復号ブロックの差分量子化パラメータと前記予測量子化パラメータとの加算により前記復号対象の量子化復号ブロックの量子化パラメータを導出する量子化パラメータ導出ステップとをコンピュータに実行させることを特徴とする受信プログラムを提供する。
【手続補正３】
【補正対象書類名】明細書
【補正対象項目名】０００９
【補正方法】削除
【補正の内容】